(57)【特許請求の範囲】
【請求項１】
１表示ドットに対応して、Ｒ、Ｇ、Ｂ３色に対応する３本の列電極と、１本の行電極とが形成されたカラー液晶表示パネルと、
外部から供給される表示データの１ビットをそのまま出力すると共に、他のビットの論理和をとって出力することで２ビットの表示データに変換するデータ変換手段と、
前記２ビットの表示データを受け、該表示データの１ビットに基づいて前記３本の列電極の１本に駆動信号を供給し、該表示データの他の１ビットに基づいて前記３本の電極の他の２本に同一の駆動信号を供給する列電極駆動手段と、
を具備することを特徴とするカラー液晶表示装置。
【発明の詳細な説明】
【０００１】
【発明の属する技術分野】
この発明は、少数の色によってカラー表示を行う簡易型のカラー液晶表示装置に係り、特に、装置価格の低減を図ったカラー液晶表示装置に関する。
【０００２】
【従来の技術】
周知のように、カラー液晶表示装置は、各画素に対応してＲ（レッド）、Ｇ（グリーン）、Ｂ（ブルー）３色のカラーフィルタと、各カラーフィルタに対応する位置の液晶を駆動する電極を設け、その電極を表示データに従って駆動することによりカラー表示を行う。このような構成において、表示電極を多階調制御することにより４０９６，６５５３６等の多数の色によるフルカラー表示が可能となる。
【０００３】
一方、表示内容によっては、フルカラー表示は必要なく、少数の色によるグラフィックカラー表示で充分な場合も多々ある。
【０００４】
【発明が解決しようとする課題】
しかしながら、従来のカラー液晶表示装置は、色数が少なくてよい場合もフルカラー表示とほぼ同様の回路によって表示が行われており、このため、色数が少なくてよい割に、白／黒の表示装置に比べ表示装置の価格が高くなる問題があった。
この発明は、このような事情を考慮してなされたもので、その目的は、少数の色によるカラー表示が可能で、しかも、白／黒表示装置に近い価格によって装置を構成することができるカラー液晶表示装置を提供することにある。
【０００５】
【課題を解決するための手段】
この発明は上記の課題を解決すべくなされたものであり、１表示ドットに対応して、Ｒ、Ｇ、Ｂ３色に対応する３本の列電極と、１本の行電極とが形成されたカラー液晶表示パネルと、外部から供給される表示データの１ビットをそのまま出力すると共に、他のビットの論理和をとって出力することで２ビットの表示データに変換するデータ変換手段と、前記２ビットの表示データを受け、該表示データの１ビットに基づいて前記３本の列電極の１本に駆動信号を供給し、該表示データの他の１ビットに基づいて前記３本の電極の他の２本に同一の駆動信号を供給する列電極駆動手段とを具備することを特徴とするカラー液晶表示装置である。
このような構成によれば、黒／白用ＬＣＤドライバを使用できるので、安価に構成できる利点が得られる。また、外部から供給される表示データを簡単な構成でデータ変換を行うことができる。
【０００７】
【発明の実施の形態】
以下、図面を参照し、この発明の一実施の形態について説明する。図１は同実施の形態によるカラー液晶表示装置の構成を示すブロック図であり、この図において、符号１は液晶パネルである。この液晶パネル１はＴＮ（Twisted Nematic）型液晶あるいはＳＴＮ（Super Twisted Nematic）型液晶を２枚のガラス基板の間に挟んで構成したもので、ガラス基板の一方には、透明の行電極Ｒ１、Ｒ２、・・・が形成され、ガラス基板の他方には、行電極Ｒ１，Ｒ２、・・・と直交する方向に透明の列電極Ｃ１、Ｃ２、・・・が形成されている。この場合、列電極Ｃ１、Ｃ２、・・・は各々Ｒ（レッド）、Ｇ（グリーン）、Ｂ（ブルー）の三色に対応する３本の透明電極から構成され、これら３本の列電極と１本の行電極の交点において１ドットが表示される。
【０００８】
上述した行電極Ｒ１、Ｒ２、・・・の各一端は各々ＬＣＤドライバ２の行電極端子に接続されている。一方、列電極Ｃ１、Ｃ２、・・・については、Ｇ電極、Ｂ電極が短絡されてＬＣＤドライバ２の列電極端子に接続され、また、Ｒ電極はそのままＬＣＤドライバ２の列電極端子に接続されている。
【０００９】
ＬＣＤドライバ２は、ＶＲＡＭ２ａと、コントローラ２ｂと、電極を駆動する駆動電圧を出力する電源回路（図示略）と、コントローラ２ｂから出力される電極駆動信号に基づいて、電源回路から出力される駆動電圧を行電極Ｒ１，Ｒ２、・・・および列電極Ｃ１、Ｃ２、・・・へ出力する複数のトランスファゲート（図示略）から構成されている。この場合、ＶＲＡＭ２ａは、データ変換回路３から出力される表示データが書き込まれるメモリである。コントローラ２ｂは、内部で生成したクロックパルスに基づいて行電極Ｒ１，Ｒ２、・・・を駆動する行駆動信号および列電極Ｃ１、Ｃ２、・・・を駆動する列駆動信号を生成する。そして、行駆動信号に基づいて上述したトランスファゲートを制御して行電極Ｒ１、Ｒ２、・・・へ駆動電圧を供給し、また、列駆動信号およびＶＲＡＭ２ａ内の表示データに基づいてトランスファゲートを制御して列電極Ｃ１、Ｃ２、・・・へ駆動電圧を出力する。
【００１０】
３はデータ変換回路であり、外部の例えばパーソナルコンピュータから供給される表示データを、このカラー液晶表示装置用の表示データに変換し、ＶＲＡＭ２ａへ出力する。図２はデータ変換の一例を示す図である。図において左側の表はパーソナルコンピュータから出力され表示データを示す。この図に示すように、パーソナルコンピュータからは、Ｒ（１ビット）、Ｇ（２ビット）、Ｂ（１ビット）による４ビットの表示データが出力される。データ変換回路３は、Ｇ（２ビット）、Ｂ（１ビット）の３ビットのオア（論理和）をとり、Ｒ（１ビット）と合わせてＶＲＡＭ２ａへ出力する。
【００１１】
すなわち、ＶＲＡＭ２ａへ出力される表示データは２ビットとなり、図２の右側の表に示すように、
１，１    １，０    ０，１    ０，０
の４種類となる。そして、その表示データのＲ（１ビット）に基づいて列電極Ｃ１、Ｃ２、・・・のＲ（レッド）電極が駆動され、表示データのＧ（２ビット）、Ｂ（１ビット）オアをとったデータに基づいて列電極Ｃ１、Ｃ２、・・・のＧ（グリーン）、Ｂ（ブルー）電極短絡点へ駆動電圧が供給される。これにより、ＶＲＡＭ２ａに書き込まれた表示データが”１，１”の場合は、列電極Ｃ１、Ｃ２、・・・のＲ、Ｇ、Ｂ全電極が駆動されることから、「白」表示となり、表示データが”１，０”の場合は、Ｒ電極のみが駆動されることから「赤」表示となり、”０，１”の場合は、Ｇ電極およびＢ電極が駆動されることから「シアン」表示となり、”０，０”の場合はＲ、Ｇ、Ｂ全電極が駆動されないことから「黒」表示となる。
【００１２】
このように、上記実施形態においては、列電極Ｃ１、Ｃ２、・・・のＧ電極とＢ電極を短絡し、この短絡電極とＲ電極を表示データに基づいて駆動するので、「白」、「赤」、「シアン」、「黒」の４色表示が可能となる。またこの場合、Ｒ、Ｇ、Ｂ３色を絶えず独立して制御する必要がなく、黒／白用ＬＣＤドライバを使用できるので、安価に構成できる利点がある。
【００１３】
また、上記の電極構成に変えて、Ｒ電極とＧ電極を短絡し、Ｂ電極を独立電極としてもよい。この場合、「白」、「青」、「イエロー」、「黒」の４色表示となる。また、Ｒ電極とＢ電極を短絡し、Ｇ電極を独立電極としてもよい。この場合、「白」、「緑」、「マゼンダ」、「黒」の４色表示となる。
【００１４】
また、上記の実施形態は、パーソナルコンピュータから４ビットの表示データが出力される場合であったが、パーソナルコンピュータから８ビット（２５６色）、１６ビット（３２０００色）、２４ビット（６４０００色）が出力される場合も、Ｇ、Ｂの各ビットのオアをとることにより、上記と同様の表示を行うことができる。
【００１５】
【発明の効果】
以上説明したように、この発明によれば、各表示ドットに対応して、Ｒ、Ｇ、Ｂ３色に対応する３本の列電極と、１本の行電極とが形成されたカラー液晶表示パネルと、外部から供給される表示データの１ビットをそのまま出力すると共に、他のビットの論理和をとって出力することで２ビットの表示データに変換するデータ変換手段と、前記２ビットの表示データを受け、該表示データの１ビットに基づいて前記３本の列電極の１本に駆動信号を供給し、該表示データの他の１ビットに基づいて前記３本の電極の他の２本に同一の駆動信号を供給する列電極駆動手段とを具備するので、小数の色によるカラー液晶表示装置を安価に製造することができる効果がある。
また、外部から供給される表示データを簡単な構成でデータ変換を行うことができる。
【００１６】
したがって、この発明によるカラー液晶表示装置は、ファッション性のある補助表示、例えば、携帯機器の時計表示、着信先ＮＯ．の表示等や、スケジュールのメモ表示に用いて好適である。また、ＭＤプレーヤ、可搬型ＣＤプレーヤ等のＡＶ機器、各種のリモコン、パーソナルコンピュータの動作表示、クロック、ウオッチ等にも利用可能である。
【図面の簡単な説明】
【図１】  この発明の一実施形態によるカラー液晶表示装置の構成を示すブロック図である。
【図２】  同表示装置におけるデータ変換回路３の変換動作を説明するための図である。
【符号の説明】
１…液晶パネル
２…ＬＣＤドライバ
２ａ…ＶＲＡＭ
２ｂ…コントローラ
３…データ変換回路
Ｃ１、Ｃ２…列電極
Ｒ１、Ｒ２…行電極
【図１】
0004000006.tif 000002
【図２】
0004000006.tif 000003